(57)【特許請求の範囲】
【請求項１】
弾性ブッシング（１０）であって、互いに対して同軸状に配置されるとともにエラストマー層（１３）を介して互いに接続される内側コア部（１１）と外側スリーブ部（１２）と有し、内側コア部（１１）の径方向の移動を制限する制限要素（１８，１９）が内側コア部（１１）と外側スリーブ部（１２）との間に配置されており、外側スリーブ部（１２）は内側に曲折された端部領域（２６）を有する、弾性ブッシングにおいて、
内側コア部（１１）は、内部に軸方向で形成される少なくとも一つの凹部（１６）を有し、少なくとも一つの制限要素（１８，１９）は凹部（１６）内に確実に固定するよう挿入されており、
制限要素（１８，１９）は、端部領域（２６）から軸方向に離間して配置されており、端部領域（２６）は内側コア部（１１）の軸方向移動を制限し、
端部領域（２６）は、制限要素（１８，１９）の軸方向におけるストッパとして機能する弾性ブッシング。
【請求項２】
請求項１に記載の弾性ブッシング（１０）において、一つの制限要素（１８，１９）が内側コア部（１１）の対向する端部のそれぞれに配置されている弾性ブッシング。
【請求項３】
請求項１または２に記載の弾性ブッシング（１０）において、内側コア部（１１）は一方の端部側から他方の端部側まで軸方向に連続的に延設される四つの凹部（１６）を有し、該凹部（１６）は互いに対して略９０°の角度で配置されている弾性ブッシング。
【請求項４】
請求項１乃至３のいずれかに記載の弾性ブッシング（１０）において、制限要素（１８，１９）は、内側コア部（１１）の凹部（１６）内に確実に固定するよう挿入される四つのウェブ（２２）を有する弾性ブッシング。
【請求項５】
請求項１乃至４のいずれかに記載の弾性ブッシング（１０）において、内側コア部（１１）には肩部（１７）が配置されており、該肩部（１７）は制限要素（１８，１９）の対応する環状肩部（２１）が係合する弾性ブッシング。
【請求項６】
請求項１乃至５のいずれかに記載の弾性ブッシング（１０）において、自由空間（２７，２８）が、制限要素（１８，１９）とエラストマー層（１３）との間で軸方向および／または径方向に形成されている弾性ブッシング。
【請求項７】
請求項１乃至６のいずれかに記載の弾性ブッシング（１０）において、内側コア部（１１）には、平坦なロッド（２９）を内部に圧入可能な開口部（１４）が形成される弾性ブッシング。
【請求項８】
請求項１乃至７のいずれかに記載の弾性ブッシング（１０）において、
内側コア部（１１）は、一定の長さに押し出し成形された形材から形成される弾性ブッシング。
【請求項９】
請求項１乃至８のいずれかに記載の弾性ブッシング（１０）において、制限要素（１８，１９）はプラスチックから形成される弾性ブッシング。
【請求項１０】
請求項１乃至９のいずれかに記載の弾性ブッシング（１０）を製造する方法であって、
ａ．内側コア部（１１）および外側スリーブ部（１２）を押し出すステップと、
ｂ．内側コア部（１１）と外側スリーブ部（１２）との間にエラストマー層（１３）を挿入し、エラストマー層（１３）を加硫処理するステップと、
ｃ．  ２つの制限要素（１８，１９）を内側コア部（１１）のそれぞれの端部側に取り付けるステップであって、制限要素（１８，１９）のウェブ（２２）が内側のコア部（１１）の凹部（１６）内に挿入されるステップと、
ｄ．対向する端部において外側スリーブ部（１２）を曲折するステップと、
を備える方法。
【発明の詳細な説明】
【技術分野】
【０００１】
本発明は、互いに対して同軸状に配置されるとともにエラストマー層を介して互いに接続される内側コア部と外側スリーブ部と有し、内側コア部の径方向の移動を制限する制限要素が内側コア部と外側スリーブ部との間に配置されており、外側スリーブ部は内側に曲折された端部領域を有する、弾性ブッシング、特にねじれビーム・リアアクスルのブッシングに関する。本発明は、また、この弾性ブッシングを製造する方法に関する。
【背景技術】
【０００２】
前記タイプのブッシングは、自動車構造においてねじれビーム・リアアクスルの装着に用いられる。この目的のために、ブッシングは、収容ラグへ圧入され、車両ボディに接続されたブラケットへボルトを用いて固定される。良好なハンドリング／ドライビング特性を得るためには、一定量の遊びが径方向および軸方向に必要である。
【０００３】
特許文献１は、互いに対して同軸状に配置された内側コア部と外側スリーブ部とを有する弾性支持部を開示している。内側コア部と外側スリーブ部と間にはエラストマー層が挿入される。外側スリーブ部は、その端部がフランジを形成するように曲折される。それぞれの端部において、外側スリーブ部の内面を支持する制限要素が、エラストマー層とフランジとの間に挿入される。制限要素と内側コア部との間には、径方向にある程度の遊びを与える自由空間が形成される。しかしながら、弾性支持部は軸方向における遊びがなく、ブッシングを車両ボディに接続するブラケットによって前記軸方向の遊びを与える機能が達成される。したがって、ブッシングは、軸方向における遊びを与えるために高価なブラケットを必要とする欠点を有する。
【０００４】
特許文献２は、内側コア部と金属外側スリーブ部とを有する弾性ジョイントを開示している。内側コア部と金属外側スリーブ部とは、互いに対して同軸状に配置されている。内側コア部と外側スリーブ部と間にはエラストマー部材が挿入される。外側スリーブ部をエラストマー部材に軸方向に固定するよう、２つの金属リングがエラストマー部材に、それぞれの端部側に、取り付けられており、該金属リングは外側スリーブ部との摩擦的接着を生成する。摩擦的接着を向上するために、金属ワイヤーメッシュがエラストマー部材において挿入される。径方向に遊びを生じさせるために、自由空間がフランジと内側コア部との間で形成される。前記ブッシングは同じく軸方向における遊びがなく、前記の軸方向の遊びを与える機能を高価なブラケットによって達成しなければならない。
【先行技術文献】
【特許文献】
【０００５】
【特許文献１】ドイツ特許公開公報１９６３８５５４
【特許文献２】ドイツ特許公開公報３００４０７５
【発明の概要】
【発明が解決しようとする課題】
【０００６】
本発明の目的は、導入部で示したタイプの弾性ブッシングであって、安価に生産でき、しかも軸方向および径方向のある程度の遊び与える弾性ブッシングを提供することにある。
【課題を解決するための手段】
【０００７】
導入部において記載したタイプのブッシングのケースにおいて、内側コア部は、内部に軸方向で形成される少なくとも一つの凹部を有し、少なくとも一つの制限要素は凹部内に確実に固定するよう挿入されており、制限要素は、端部領域から軸方向に離間して配置されており、端部領域は内側コア部の軸方向移動を制限することによって、上記目的は達成される。
【０００８】
制限要素と端部領域との間に軸方向に間隔を空けること、および制限要素と外側スリーブ部との間に径方向の間隔を空けることにより、本発明にかかる弾性ブッシングは軸方向および径方向に遊びを有する。こうして、これらの機能を行うための別部品は不要になる。したがって、本発明にかかる支持部は、従来の弾性支持部より安価に解決できる。さらに、コア部内の凹部により、確実に固定する方法で制限要素を確実に収容でき、その結果、弾性ブッシングの組み立ての際に、制限要素を内側コア部に有用に固定でき、したがって、前記制限要素はスリップしない。さらに、本発明にかかる弾性支持部はコンパクトに設計できる。
【０００９】
有用には、一つの制限要素が内側コア部の対向する端部のそれぞれに配置される。したがって、ブッシングはすべての空間的方向に遊びを有する。
【００１０】
さらに有用な態様では、内側コア部は一方の端部側から他方の端部側まで軸方向に連続的に延設される四つの凹部を有し、該凹部は互いに対して略９０°の角度で配置されている。
【００１１】
有用には、制限要素は、内側コア部の凹部内に確実に固定するよう挿入される四つのウェブを有する。こうして、内側コア部の制限要素を、確実に正確に位置決めできる。
【００１２】
内側コア部には肩部が配置されており、該肩部は制限要素の対応する環状肩部が係合する場合、有用である。その結果、装着された後、制限要素は内側コア部に固定され、径方向の変位はもはや不可能となり、外側スリーブ部の端部領域を曲折する際に弾性ブッシングを確実に容易に扱うことができる。さらに、２つの肩部が、制限要素が内側コア部内に挿入される際に制限要素のストッパとして機能する。
【００１３】
さらに有用な態様では、自由空間が、範囲限定要素とエラストマー層との間で軸方向および／または径方向に形成される。こうして、漸進的な制限が得られる。軸方向あるいは径方向、または軸方向かつ径方向の移動の際に、制限要素がまずエラストマー層に当接し、そして前記層の厚さおよび材料特性に応じた対応する減衰を受けるからである。したがって、軸方向および径方向にある遊びだけでなく、むしろ制限要素と外側スリーブ部あるいは端部領域との間に配置されるエラストマー層によって、ドライビング特性を設定することができる。
【００１４】
有用には、内側コア部には、平坦なロッドを内部に圧入可能な開口部が形成される。平坦なロッドによって、弾性ブッシングを車両ボディに例えば固定することができる。
【００１５】
有用には、内側コア部は、一定の長さに押し出し成形された形材から、特にアルミニウムから、形成される。したがって、弾性ブッシング全体の重量を小さくできる。
【００１６】
さらなる有用な態様では、制限要素はプラスチックから形成される。こうして、安価な制限要素を提供できる。
【００１７】
本発明は、また、以下のステップを有する、弾性ブッシングを製造する方法に関する。まず、内側コア部および外側スリーブ部を押し出し成形する。次に、内側コア部と外側スリーブ部と間にエラストマー層を挿入し、加硫処理する。その後、２つの制限要素を内側コア部のそれぞれの端部側に取り付ける。制限要素のウェブは内側コア部の凹部内に挿入される。次に、外側スリーブ部をその対向する端部において曲折する。
【００１８】
以下の図面において示す例示的な実施形態に基づいて、本発明をより詳細に説明する。
【図面の簡単な説明】
【００１９】
【図１】図１は、本発明にかかる支持部の部分断面斜視図を示す。
【図２】図２は、図１における線ＩＩ−ＩＩに沿った、本発明にかかる支持部の断面を示す。
【図３】図３は、加硫製造ステップ直後の、本発明にかかる支持部の水平方向断面を示す。
【図４】図４は、図１における線ＩＶ−ＩＶに沿った、平坦なロッドのない、本発明にかかる支持部の水平方向断面を示す。
【図５】図５は、本発明にかかる支持部の個々の要素の斜視図を示す。
【発明を実施するための形態】
【００２０】
図１は、ねじれビーム・リアアクスルの弾性ブッシング１０を示す。ブッシング１０は、内側コア部１１と外側スリーブ部１２とを有する。内側コア部１１および外側スリーブ部１２は、互いに対して同軸状に配置され、また、２つのスリーブ１１，１２の間に挿入されたエラストマー層１３によって互いに接続される。
【００２１】
図１〜図５において、内側コア部１１は、貫通開口部１４と、二つの開口部１５とを有する。二つの開口部１５は、貫通開口部１４と平行に配置されるとともに、貫通開口部１４と同様に内側コア部１１の一方の端部側から他方の端部側まで連続的に延設されるように設計されている。図５に示すように、四つの凹部１６が内側コア部１１に形成される。これら凹部は、内側コア部１１の一方の端部側から他方の端部側まで軸方向に連続的に延びるとともに、互いに対して略９０°の角度で配置されている。さらに、内側コア部１１は、肩部１７を有する。
【００２２】
図１に示すように、弾性ブッシング１０は、第１制限要素１８と第２制限要素１９とを備える。図５では、制限要素１８，１９が、環状肩部２１を有する環状部２０と、環状部２０から突出する四つ略Ｔ字状のウェブ２２と、を有する。制限要素１８，１９はプラスチックから形成される。
【００２３】
図２および図３では、外側スリーブ部１２は薄肉管として形成される。外側スリーブ部１２は内側コア部１１より長い。
【００２４】
ブッシング１０を製造するには、内側コア部１１は、まず押し出し成形され、所望の長さに切断される。外側スリーブ部１２は、同様に押し出し成形され、所望の長さに切断される。内側コア部１１およびまた外側スリーブ部１２はともに、金属材料から特にアルミニウムから形成される。内側コア部１１および外側スリーブ部１２は、次に、互いに対して同軸状に配置されるよう、加硫処理モールド内へと配置される。エラストマー層１３が次に注入される。このとき、凹部１６にはエラストマー層１３が入らないよう、そして、前記エラストマー層は、エラストマー層１３が内側コア部１１と外側スリーブ部１２とに接着的に接続されるよう、最後に加硫処理される。図３からわかるように、エラストマー層１３は、第１部２３と第２部２４と第３部２５とを備える。第１部２３は、内側コア部１１を外側スリーブ部１２に接続し、そして二つの周辺窪み部３０を有する。第２部２４および第３部２５は、外側スリーブ部１２の端部側の方向に、第１部２３から離間する両方向に延設される。これら前記部は、外側スリーブ部１２の内側に沿って延びている。第２部２４は第３部２５より厚い。しかしながら、第３部２５を第２部２４より厚くすることも考えられる。さらに両部２４，２５を等しい厚さとすることも考えられるよう。
【００２５】
図４および図５では、エラストマー層１３の加硫処理後、制限要素１８，１９が、内側コア部１１のそれぞれの端部側に取り付けられる。この目的のために、制限要素１８，１９のウェブ２２が凹部１６内に押し込まれる、そこでは図２に示すように、ウェブ２２は、確実に固定するよう、凹部１６内に収容される。さらに、環状部２０の環状肩部２１は、内側コア部１１の肩部１７と係合し、その結果、制限要素１８，１９が径方向に固定される。
【００２６】
制限要素１８，１９が内側コア部１１のそれぞれの端部側に取り付けられた後、外側スリーブ部１２のそれぞれの端部は、端部領域２６を形成するよう、内側コア部１１の方向に内側に略直角に曲折される。こうして、図２および図４に示すように、第１自由空間２７が、第１制限要素１８と外側スリーブ部１２と端部領域２６との間、および第１制限要素１８と第２部２４との間に形成される。第２自由空間２８が、第２制限要素１９と外側スリーブ部１２と端部領域２６との間、および第２制限要素１９と第３部２５との間に形成される。自由空間２７，２８のサイズは、第１部２４と第２部２５の厚さによって決まる。図２に示すように、自由空間は同様にウェブ２２とエラストマー層１３との間に形成される。２つの自由空間２７，２８、およびウェブ２２とエラストマー層１３との間の自由空間は、それぞれ、内側コア部１１の径方向あるいは軸方向の移動、または内側コア部１１の径方向および軸方向における複合移動を可能にする。
【００２７】
図４では、端部領域２６は、制限要素１８，１９の軸方向におけるストッパとして機能する。外側スリーブ部１２は、径方向におけるストッパとして機能する。制限要素１８，１９と外側スリーブ部１２あるいは端部領域２６との間に位置し、各部２４，２５によって形成されるエラストマー層により、制限要素１８，１９が各部２４，２５と当接する際の漸進的な制限を実現できる。各部２４，２５の厚さおよび材料特性に応じて異なる剛性が得られる。
【００２８】
ブッシング１０を車両ボディ（詳細には図示せず）に固定するために、図１および図５に示すように、平坦なロッド２９が貫通開口部１４へ圧入される。平坦なロッド２９は、図１および図５に示すように、開口部を通じて車両ボディに接続される。弾性ブッシング１０は、収容ラグへ圧入される。
【００２９】
弾性ブッシング１０は、軸方向および径方向における遊びを特徴として有する。この目的には、製造するのに費用がかかり複雑化する別部品を必要としない。これは、第一に、制限要素１８，１９によって可能となり、第二に、外側スリーブ部１２および外側スリーブ部１２の曲折された端部領域２６によって可能となる。制限要素１８，１９と外側スリーブ部１２あるいは端部領域２６との間に位置するエラストマー層１３により、さらに、制限要素１８，１９が当接する際の漸進的な制限を実現可能となり、その結果、こうしてドライビング特性にさらに影響を与えることができる。さらに、弾性ブッシングはそのコンパクト設計および安価な製造が特徴である。さらに、内側コア部１１における凹部１６により、制限要素１８，１９を内側コア部１１に正確に位置決めでき、組み立ての際の制限要素を容易に取り扱うことができる。
【産業上の利用可能性】
【００３０】
本発明は、互いに対して同軸状に配置されるとともにエラストマー層を介して互いに接続される内側コア部と外側スリーブ部と有し、内側コア部の径方向の移動を制限する制限要素が内側コア部と外側スリーブ部との間に配置されており、外側スリーブ部は内側に曲折された端部領域を有する、弾性ブッシング、特にねじれビーム・リアアクスルのブッシングに適用可能である。
【符号の説明】
【００３１】
１０  弾性ブッシング
１１  内側コア
１２  外側スリーブ
１３  エラストマー層
１４  貫通開口部
１５  開口部
１６  凹部
１７  肩部
１８  第１制限要素
１９  第２制限要素
２０  環状部
２１  環状肩部
２２  ウェブ
２３  第１部
２４  第２部
２５  第３部
２６  曲折された端部領域
２７  第１自由空間
２８  第２自由空間
３０  窪み部
【図１】
0005456898.tif 000002
【図２】
0005456898.tif 000003
【図３】
0005456898.tif 000004
【図４】
0005456898.tif 000005
【図５】
0005456898.tif 000006